(57)【要約】【課題】改札効率を向上することが可能であるとともに、利用者に対するサービス性を向上することが可能な改札機、改札システム、及び、改札方法を提供することを目的とする。【解決手段】双方向通行可能な通路の第１方向Ａを通行する利用者が所持する無線式券類との間で無線通信を行う第１無線カードリーダライタ部１０４Ａ、または、通路の第２方向Ｂを通行する利用者が所持する無線式券類との間で無線通信を行う第２無線カードリーダライタ部１０４Ｂによる通信結果に基づいて改札処理を行い、第１無線カードリーダライタ部１０４Ａ及び第２無線カードリーダライタ部１０４Ｂのいずれか一方による無線通信が行われたのに基づいて、第１音声出力部１１１Ａまたは第２音声出力部１１１Ｂにより他方による無線通信ができない旨の音声案内を出力する。【選択図】　　　　　図５
2004145639.tif 000002
【特許請求の範囲】
【請求項１】
双方向通行可能な通路の第１方向を通行する利用者が所持する無線式券類との間で無線通信を行う通信手段と、
前記通信手段による通信結果に基づいて改札処理を行う改札手段と、
前記通信手段による無線通信が行われたのに基づいて、前記通路の第１方向とは逆方向の第２方向を通行する利用者に対して前記通路を通過できない旨の音声案内を出力する音声出力手段と、
を備えたことを特徴とする改札機。
【請求項２】
双方向通行可能な通路の第１方向を通行する利用者が所持する無線式券類との間で無線通信を行う通信手段と、
前記通信手段による通信結果に基づいて改札処理を行う改札手段と、
前記通信手段による無線通信が行われたのに基づいて、前記通路の第１方向とは逆方向の第２方向を通過できない旨の第１制御信号を出力する信号出力手段と、
前記通路の第１方向を通過できない旨の第２制御信号の入力に基づいて、前記通路の第１方向を通行する利用者に対して前記通路を通過できない旨の音声案内を出力する音声出力手段と、
を備えたことを特徴とする改札機。
【請求項３】
双方向通行可能な通路の第１方向を通行する利用者が所持する無線式券類との間で無線通信を行う通信手段と、
前記通信手段による通信結果に基づいて改札処理を行う改札手段と、
前記通信手段による無線通信が行われたのに基づいて、前記通路の第１方向とは逆方向の第２方向を通過できない旨の第１制御信号を出力する信号出力手段と、
前記通路の第１方向を通過できない旨の第２制御信号の入力を検知した場合に、前記通信手段による無線式券類との無線通信の要求を受け付けたのに基づいて、前記通路の第１方向を通行する利用者に対して前記通路を通過できない旨の音声案内を出力する音声出力手段と、
を備えたことを特徴とする改札機。
【請求項４】
双方向通行可能な通路の第１方向を通行する利用者が所持する無線式券類との間で無線通信を行う通信手段と、
前記通信手段による通信結果に基づいて改札処理を行う改札手段と、
前記通信手段による無線通信が行われたのに基づいて、前記通路の第１方向とは逆方向の第２方向を通過できない旨の第１制御信号を出力する信号出力手段と、
前記通路の第１方向を通過できない旨の第２制御信号の入力に基づいて、前記通路の第１方向を通行する利用者に対して前記通路を通過できない旨の案内を表示する案内表示手段と、
前記通路の第１方向を通過できない旨の第２制御信号の入力を検知した場合に、前記通信手段による無線式券類との無線通信の要求を受け付けたのに基づいて、前記通路の第１方向を通行する利用者に対して前記通路を通過できない旨の音声案内を出力する音声出力手段と、
を備えたことを特徴とする改札機。
【請求項５】
双方向通行可能な通路の第１方向を通行する利用者が所持する無線式券類との間で無線通信を行う第１通信手段と、
前記通路の第１方向とは逆方向の第２方向を通行する利用者が所持する無線式券類との間で無線通信を行う第２通信手段と、
前記第１通信手段または前記第２通信手段による通信結果に基づいて改札処理を行う改札手段と、
前記第１通信手段及び前記第２通信手段のいずれか一方による無線通信が行われたのに基づいて、他方による無線通信ができない旨の音声案内を出力する音声出力手段と、
を備えたことを特徴とする改札システム。
【請求項６】
双方向通行可能な通路の第１方向を通行する利用者が所持する無線式券類との間で無線通信を行う第１通信手段と、
前記通路の第１方向とは逆方向の第２方向を通行する利用者が所持する無線式券類との間で無線通信を行う第２通信手段と、
前記第１通信手段または前記第２通信手段による通信結果に基づいて改札処理を行う改札手段と、
前記第１通信手段及び前記第２通信手段のいずれか一方による無線通信が行われた場合に、他方による無線式券類との無線通信の要求を受け付けたのに基づいて、他方による無線通信ができない旨の音声案内を出力する音声出力手段と、
を備えたことを特徴とする改札システム。
【請求項７】
双方向通行可能な通路の第１方向を通行する利用者が所持する無線式券類との間で無線通信を行う第１通信手段と、
前記通路の第１方向とは逆方向の第２方向を通行する利用者が所持する無線式券類との間で無線通信を行う第２通信手段と、
前記第１通信手段または前記第２通信手段による通信結果に基づいて改札処理を行う改札手段と、
前記第１通信手段及び前記第２通信手段のいずれか一方による無線通信が行われたのに基づいて、他方による無線通信ができない旨の案内を表示する案内表示手段と、
前記第１通信手段及び前記第２通信手段のいずれか一方による無線通信が行われた場合に、他方による無線式券類との無線通信の要求を受け付けたのに基づいて、他方による無線通信ができない旨の音声案内を出力する音声出力手段と、
を備えたことを特徴とする改札システム。
【請求項８】
双方向通行可能な通路の第１方向を通行する利用者が所持する無線式券類との間で無線通信を行う第１通信手段と、
前記通路の第１方向とは逆方向の第２方向を通行する利用者が所持する無線式券類との間で無線通信を行う第２通信手段と、
前記第１通信手段または前記第２通信手段による通信結果に基づいて改札処理を行う改札手段と、
前記第１通信手段による無線通信が行われたのに基づいて、第２方向を通行する利用者に対して前記第２通信手段による無線通信ができない旨の音声案内を出力する第１音声出力手段と、
前記第２通信手段による無線通信が行われたのに基づいて、第１方向を通行する利用者に対して前記第１通信手段による無線通信ができない旨の音声案内を出力する第２音声出力手段と、
を備えたことを特徴とする改札システム。
【請求項９】
双方向通行可能な通路の第１方向を通行する利用者が所持する無線式券類との間で無線通信を行う第１通信手段と、
前記通路の第１方向とは逆方向の第２方向を通行する利用者が所持する無線式券類との間で無線通信を行う第２通信手段と、
前記第１通信手段または前記第２通信手段による通信結果に基づいて改札処理を行う改札手段と、
前記第１通信手段による無線通信が行われた場合に、前記第２通信手段による無線式券類との無線通信の要求を受け付けたのに基づいて、第２方向を通行する利用者に対して前記第２通信手段による無線通信ができない旨の音声案内を出力する第１音声出力手段と、
前記第２通信手段による無線通信が行われた場合に、前記第１通信手段による無線式券類との無線通信の要求を受け付けたのに基づいて、第１方向を通行する利用者に対して前記第１通信手段による無線通信ができない旨の音声案内を出力する第２音声出力手段と、
を備えたことを特徴とする改札システム。
【請求項１０】
双方向通行可能な通路の第１方向を通行する利用者が所持する無線式券類との間で無線通信を行う第１通信手段と、
前記通路の第１方向とは逆方向の第２方向を通行する利用者が所持する無線式券類との間で無線通信を行う第２通信手段と、
前記第１通信手段または前記第２通信手段による通信結果に基づいて改札処理を行う改札手段と、
前記第１通信手段による無線通信が行われたのに基づいて、第２方向を通行する利用者に対して前記第２通信手段による無線通信ができない旨の案内を表示する第１表示手段と、
前記第１通信手段による無線通信が行われた場合に、前記第２通信手段による無線式券類との無線通信の要求を受け付けたのに基づいて、第２方向を通行する利用者に対して前記第２通信手段による無線通信ができない旨の音声案内を出力する第１音声出力手段と、
前記第２通信手段による無線通信が行われたのに基づいて、第１方向を通行する利用者に対して前記第１通信手段による無線通信ができない旨の案内を表示する第２表示手段と、
前記第２通信手段による無線通信が行われた場合に、前記第１通信手段による無線式券類との無線通信の要求を受け付けたのに基づいて、第１方向を通行する利用者に対して前記第１通信手段による無線通信ができない旨の音声案内を出力する第２音声出力手段と、
を備えたことを特徴とする改札システム。
【請求項１１】
双方向通行可能な通路の第１方向を通行する利用者が所持する無線式券類との間で無線通信を行う第１通信手段、または、前記通路の第１方向とは逆方向の第２方向を通行する利用者が所持する無線式券類との間で無線通信を行う第２通信手段による通信結果に基づいて改札処理を行い、
前記第１通信手段及び前記第２通信手段のいずれか一方による無線通信が行われたのに基づいて、他方による無線通信ができない旨の音声案内を出力する、
ことを特徴とする改札方法。
【請求項１２】
双方向通行可能な通路の第１方向を通行する利用者が所持する無線式券類との間で無線通信を行う第１通信手段、または、前記通路の第１方向とは逆方向の第２方向を通行する利用者が所持する無線式券類との間で無線通信を行う第２通信手段による通信結果に基づいて改札処理を行い、
前記第１通信手段及び前記第２通信手段のいずれか一方による無線通信が行われた場合に、他方による無線式券類との無線通信の要求を受け付けたのに基づいて、他方による無線通信ができない旨の音声案内を出力する、
ことを特徴とする改札方法。
【請求項１３】
双方向通行可能な通路の第１方向を通行する利用者が所持する無線式券類との間で無線通信を行う第１通信手段、または、前記通路の第１方向とは逆方向の第２方向を通行する利用者が所持する無線式券類との間で無線通信を行う第２通信手段による通信結果に基づいて改札処理を行い、
前記第１通信手段及び前記第２通信手段のいずれか一方による無線通信が行われたのに基づいて、他方による無線通信が出来ない旨の案内を表示し、
前記第１通信手段及び前記第２通信手段のいずれか一方による無線通信が行われた場合に、他方による無線式券類との無線通信の要求を受け付けたのに基づいて、他方による無線通信ができない旨の音声案内を出力する、
ことを特徴とする改札方法。
【発明の詳細な説明】
【０００１】
【発明の属する技術分野】
この発明は、改札機、改札システム、及び改札方法に係り、特に、無線式券類に基づいて改札処理を行う一対の改札機によって双方向通行可能な通路を形成した改札システムに関する。
【０００２】
【従来の技術】
近年、改札処理の省力化を目的として、改札機が導入されている。この改札機は、利用者が駅構内などの施設内に入場する場合や、施設内から出場する場合などに、磁気式及び無線式券類に記録された券類情報に基づいて通路を通行する利用者の通過可否の判定処理を行う。
【０００３】
磁気式券類に基づいて改札処理を行う一対の改札機によって双方向通行可能な通路を形成した改札システムにおいて、待機状態では、両方向からの券類の受け取りを可能な状態とし、どちらか一方の投入口から券類を受け取ったのに基づいて通路における通行方向を決定するとともに他方の投入口をシャッタ機構によって閉鎖して券類の投入を阻止する。そして、利用者の通過を検知したのに基づいて待機状態に復帰する。
【０００４】
一方、無線式券類に基づいて改札処理を行う一対の改札機によって双方向通行可能な通路を形成した改札システムにおいては、待機状態では、両方向からの券類の受け付けを可能な状態とし、どちらか一方から券類を受け付けたのに基づいて通路における通行方向を決定し、利用者の通過を検知したのに基づいて待機状態に復帰する。
【０００５】
【発明が解決しようとする課題】
このような無線式券類を処理可能な改札機を備える改札システムでは、一方からの無線式券類の受け付けに基づいて他方からの無線式券類の受け付けを阻止するメカ的な機構は備えられていない。したがって、一方向からの利用者が通路を通行中に、それとは逆方向の他方向での利用が可能か否かは少し離れた（遠い）位置からでないと認識できないおそれがある。
【０００６】
特に、一方向及び他方向からほぼ同時のタイミングで無線式券類を利用した改札処理要求を受け付けた場合（すなわちほぼ同時のタイミングで無線式券類が双方の無線アンテナにかざされた場合）、タイミングが遅い方の利用者が所持する無線式券類に基づく改札処理は受け付けられない。この場合、改札処理が受け付けられていないにもかかわらず通路に侵入した利用者が、改札処理が受け付けられた利用者の通行の妨げになる場合がある。
【０００７】
さらに、視覚障害者による無線式券類による改札機の利用の場合、改札処理が受け付けられたのか否か、あるいは、通路を通行可能であるのか否かを適切に案内することができず、混乱を招くおそれがある。
【０００８】
このように、改札処理を受け付けない場合、双方向通行可能な通路を通行しようとする利用者が所持する無線式券類の受け付けを阻止するメカ的機構を備えておらず、しかも、この利用者に対して十分な案内を提供できていない。このため、利用者を確実に誘導できず、改札効率の低下を招くおそれがあるとともに、利用者に対するサービス性が損なわれるおそれがある。
【０００９】
この発明は、上述した問題点に鑑みなされたものであって、その目的は、改札効率を向上することが可能であるとともに、利用者に対するサービス性を向上することが可能な改札機、改札システム、及び、改札方法を提供することにある。
【００１０】
【課題を解決するための手段】
この発明の第１の様態による改札機は、
双方向通行可能な通路の第１方向を通行する利用者が所持する無線式券類との間で無線通信を行う通信手段と、
前記通信手段による通信結果に基づいて改札処理を行う改札手段と、
前記通信手段による無線通信が行われたのに基づいて、前記通路の第１方向とは逆方向の第２方向を通行する利用者に対して前記通路を通過できない旨の音声案内を出力する音声出力手段と、
を備えたことを特徴とする。
【００１１】
この発明の第２の様態による改札システムは、
双方向通行可能な通路の第１方向を通行する利用者が所持する無線式券類との間で無線通信を行う第１通信手段と、
前記通路の第１方向とは逆方向の第２方向を通行する利用者が所持する無線式券類との間で無線通信を行う第２通信手段と、
前記第１通信手段または前記第２通信手段による通信結果に基づいて改札処理を行う改札手段と、
前記第１通信手段及び前記第２通信手段のいずれか一方による無線通信が行われたのに基づいて、他方による無線通信ができない旨の音声案内を出力する音声出力手段と、
を備えたことを特徴とする。
【００１２】
この発明の第３の様態による改札方法は、
双方向通行可能な通路の第１方向を通行する利用者が所持する無線式券類との間で無線通信を行う第１通信手段、または、前記通路の第１方向とは逆方向の第２方向を通行する利用者が所持する無線式券類との間で無線通信を行う第２通信手段による通信結果に基づいて改札処理を行い、
前記第１通信手段及び前記第２通信手段のいずれか一方による無線通信が行われたのに基づいて、他方による無線通信ができない旨の音声案内を出力する、
ことを特徴とする。
【００１３】
【発明の実施の形態】
以下、この発明の一実施の形態に係る改札システムについて図面を参照して説明する。
【００１４】
まず、駅などの施設における改札口に設置されるホストコンピュータの構成について説明する。
図１に示すように、ホストコンピュータ１０には、通信回線２０を介して、無線式券類を処理可能な複数の改札機１００が接続されている。なお、無線式券類としては、普通乗車券、入場券、定期券、プリペイドカード、定期券とプリペイドカードとの両方の機能を兼ね備えた無線カードなどがある。
【００１５】
ホストコンピュータ１０は、複数の改札機１００を統括して制御するＣＰＵ１１を有している。このＣＰＵ１１には、ホストコンピュータ１０を制御するための制御データなどを記憶しているメモリ部１２、各改札機１００の動作状態やホストコンピュータ１０の動作状態などを表示する表示部１３、種々の情報を入力するためのキーボードなどを有する入力部１４などが接続されている。また、このＣＰＵ１１には、各改札機１００との間で通信回線２０を介してデータの送受信を行う通信制御部１５が接続されている。
【００１６】
次に、無線式券類としての無線カードによる改札処理が可能な改札機１００の構成について説明する。この改札機１００は、利用者が所持する無線式券類を受け付け（すなわち無線式券類との間で無線通信を行い）、無線式券類に記憶された改札処理に必要な券類情報を読み取り、この券類情報に基づいて改札処理を行う。
【００１７】
すなわち、図２に示すように、改札機１００は、本体１００Ａを備えている。このような改札機１００が２台１組として施設の改札口などに設置された場合、両者の間に双方向で利用者が通行可能な通路が形成される。
【００１８】
本体１００Ａにおける通行方向上流側には、無線カードとの間で無線通信を行う通信手段として機能する無線カードリーダライタ部１０４の無線アンテナ１０３が設けられている。
【００１９】
この無線アンテナ１０３には、表示部１０５が設けられている。この表示部１０５は、利用者に対して無線カードリーダライタ部１０４による無線カードとの無線通信が可能であるか否かに対応した旨すなわち通路を通過可能であるか否かに対応した旨の表示が可能な案内表示手段として機能する。
【００２０】
すなわち、この表示部１０５は、待機状態において無線通信が可能である場合にその旨の案内を点灯表示する。また、この表示部１０５は、無線通信が不可能である場合には消灯する。なお、無線通信が不可能である場合には、表示部１０５は、無線通信が不可能である旨、他の通路に迂回する旨、その場で待機する旨などの案内を表示しても良い。
【００２１】
本体１００Ａにおける通行方向下流側には、利用者に対してプリペイドカードの残額などの種々の情報を案内する第１案内表示部１１３が設けられている。また、本体１００Ａにおいて、無線アンテナ１０３と第１案内表示部１１３との間には、第２案内表示部１１５が設けられている。この第２案内表示部１１５は、無線カードリーダライタ部１０４に近い通行方向上流側に配置されている。
【００２２】
この第２案内表示部１１５は、利用者に対して無線カードリーダライタ部１０４による無線カードとの無線通信が可能であるか否かに対応した旨すなわち通路を通過可能であるか否かに対応した旨の表示が可能な案内表示手段として機能する。すなわち、この第２案内表示部１１５は、無線通信が不可能である場合には、無線通信が不可能である旨、他の通路に迂回する旨、その場で待機する旨などの案内を表示する。
【００２３】
通行方向最上流に位置する本体１００Ａの正面には、機外から機体に向かって通路を進入可能であるか進入禁止であるかに対応した案内を表示する通路案内表示部１１７が設けられている。すなわち、この通路案内表示部１１７は、通路を通過可能であるか否かに対応した旨の表示が可能な案内表示手段として機能する。例えば、通路案内表示部１１７は、通路を通過可能である場合には、図２に示すような矢印を表示し、通路を通過不可能である場合には、進入禁止マークなどを表示する。
【００２４】
また、本体１００Ａには、通路を通行しようとする利用者に対して、無線カードリーダライタ部１０４による無線カードとの無線通信が不可能である旨すなわち通路を通過不可能である旨の音声案内を出力する音声出力手段として機能する音声出力部１１１が設けられている。
【００２５】
本体１００Ａの上部には、利用者の通路を定義するためのフレーム部１２６が立設されている。フレーム部１２６及び本体１００Ａにおける通路側の側面には、利用者の通過を検知するための出力信号を出力する複数の人間検知センサ１０７が設けられている。また、フレーム部１２６上には、小児券の受け付け、無効券の受け付け、機器の異常などの装置の動作状態を表示する状態表示部１２８が設けられている。
【００２６】
また、本体１００Ａにおける通路側の側面の両端部には、利用者の通行を制御する開閉動作可能なドア機構１０９が設けられている。このドア機構１０９は、利用者の通行を可能とする場合に通路を開放し、利用者の通行を不可能とする場合に通路を閉鎖する。
【００２７】
図３に示すように、改札機１００は、券類に記憶された券類情報に基づいて改札処理を行なう改札手段として機能するとともに制御信号を出力する信号出力手段として機能するＣＰＵ１０１を備えている。
【００２８】
このＣＰＵ１０１には、メモリ部１０２が接続されている。このメモリ部１０２は、ＣＰＵ１０１の制御プログラムを記憶しているＲＯＭ、券類から読み取った券類情報を一時的に記憶するとともに制御プログラムのバッファとして情報を記憶するＲＡＭ、入場駅からこの改札機１００の設置駅までの改札処理に必要な運賃情報を記憶した運賃メモリなどを備えて構成されている。
【００２９】
また、ＣＰＵ１０１には、無線カードリーダライタ部１０４、表示制御回路１０６、通過検知回路１０８、ドア制御回路１１０が接続されている。
【００３０】
通信手段として機能する無線カードリーダライタ部１０４は、無線式券類すなわち無線カードとの間で無線通信を行う無線アンテナ１０３を備えている。すなわち、この無線カードリーダライタ部１０４は、ＣＰＵ１０１による制御に基づいて、無線アンテナ１０３の交信エリア内にかざされた無線カードと交信し、無線カードから所定の券類情報を読み取るとともに、無線カードに対して所定の券類情報、例えば入場記録情報や出場記録情報、精算処理後の残額に対応した金額情報などを記録する。
【００３１】
表示制御回路１０６には、案内表示手段として機能する表示部１０５が接続されている。この表示制御回路１０６は、ＣＰＵ１０１による制御に基づいて、無線アンテナ１０３に設置された表示部１０５による表示を制御する。表示部１０５は、無線カードリーダライタ部１０４による無線通信が可能であるか否かに対応する旨の案内を表示する。
【００３２】
通過検知回路１０８には、複数の人間検知センサ１０７が接続されている。人間検知センサ１０７は、通路を通行する利用者を検知するために必要な検知信号を出力する。通過検知回路１０８は、ＣＰＵ１０１による制御に基づいて、人間検知センサ１０７から出力された検知信号に基づいて利用者の通過状態を検知する。
【００３３】
ドア制御回路１１０には、ドア機構１０９が接続されている。このドア制御回路１１０は、ＣＰＵ１０１による制御に基づいて、ドア機構１０９の開閉動作を制御する。ドア機構１０９は、通路を閉鎖することにより、利用者の通行を阻止する。
【００３４】
さらに、ＣＰＵ１０１には、音声出力制御回路１１２、表示制御回路１１４、表示制御回路１１６、表示制御回路１１８、通信制御回路１２０などが接続されている。
【００３５】
音声出力制御回路１１２には、音声出力手段として機能する音声出力部１１１が接続されている。音声出力制御回路１１２は、ＣＰＵ１０１による制御に基づいて、音声出力部１１１による音声の出力を制御する。音声出力部１１１は、無線カードリーダライタ部１０４による無線通信が不可能である旨の音声案内を出力する。
【００３６】
表示制御回路１１４には、第１案内表示部１１３が接続されている。この表示制御回路１１４は、ＣＰＵ１０１による制御に基づいて、第１案内表示部１１３による表示を制御する。第１案内表示部１１３は、プリペイドカードの残額などの種々の情報を表示する。
【００３７】
表示制御回路１１６には、案内表示手段として機能する第２案内表示部１１５が接続されている。この表示制御回路１１６は、ＣＰＵ１０１による制御に基づいて、第２案内表示部１１５による表示を制御する。第２案内表示部１１５は、無線カードリーダライタ部１０４による無線通信が可能であるか否かに対応する旨の案内を表示する。
【００３８】
表示制御回路１１８には、案内表示手段として機能する通路案内表示部１１７が接続されている。この表示制御回路１１８は、ＣＰＵ１０１による制御に基づいて、通路案内表示部１１７による表示を制御する。通路案内表示部１１７は、無線カードリーダライタ部１０４による無線通信が可能であるか否かに対応する旨の案内を表示する。
【００３９】
通信制御部１２０は、通信回線２０を介してホストコンピュータ１０に接続されている。この通信制御部１２０は、ＣＰＵ１０１の制御に基づいて、ホストコンピュータ１０に対して所定の信号を出力するとともに、ホストコンピュータ１０からの所定の信号の入力を受け付ける。
【００４０】
例えば、ＣＰＵ１０１は、無線カードリーダライタ部１０４において無線カードとの間で無線通信の要求を受け付けたのに基づいて、通信制御部１２０を介してホストコンピュータ１０に対して制御信号を出力する。また、ＣＰＵ１０１は、通信制御部１２０を介してホストコンピュータ１０から制御信号の入力を受け付けたのに基づいて、無線カードリーダライタ部１０４による無線通信を中止する。
【００４１】
次に、双方向通行可能な通路を形成する改札機１００での改札方法について説明する。
【００４２】
図４に示すように、改札機１００のＣＰＵ１０１は、通信制御部１２０を介してホストコンピュータ１０から無線カードリーダライタ部１０４による無線通信の中止を指示する制御信号の入力を受け付けたか否かを判断する（ＳＴ１１）。ＣＰＵ１０１は、制御信号の入力を受け付けていないと判断したのに基づいて（ＳＴ１１、Ｎ）、無線カードリーダライタ部１０４による無線通信が可能な待機状態とする（ＳＴ１２）。
【００４３】
続いて、ＣＰＵ１０１は、無線カードリーダライタ部１０４による無線カードを利用した無線通信の要求を受け付けたか否かを判断する（ＳＴ１３）。すなわち所定の一方向を通行する利用者が所持する無線カードが無線カードリーダライタ部１０４の無線アンテナ１０３にかざされたか否かが判断される。ＣＰＵ１０１は、無線通信要求を受け付けていないと判断したのに基づいて（ＳＴ１３、Ｎ）、ステップＳＴ１３に戻り、待機状態を維持する。
【００４４】
ＣＰＵ１０１は、無線通信要求を受け付けたと判断したのに基づいて（ＳＴ１３、Ｙ）、通信制御部１２０を介してホストコンピュータ１０に対して、逆方向を通過できない旨の制御信号を出力する（ＳＴ１４）。これにより、逆方向を通行する利用者が所持する無線カードを用いた無線カードリーダライタ部による無線通信が中止される。
【００４５】
続いて、ＣＰＵ１０１は、無線カードリーダライタ部１０４により、無線通信要求を受け付けた無線カードとの間で無線通信を行う（ＳＴ１５）。このとき、無線カードから改札処理に必要な券類情報が読み取られるとともに、必要に応じて所定情報が無線カードに記録される。
【００４６】
続いて、ＣＰＵ１０１は、無線カードリーダライタ部１０４と無線カードとの間で無線通信が完了したか否かを判断する（ＳＴ１６）。そして、ＣＰＵ１０１は、無線通信が完了したと判断した場合に（ＳＴ１６、Ｙ）、無線通信により無線カードから読み取った券類情報に基づいて、利用者の通過可否を判定する（ＳＴ１７）。そして、ＣＰＵ１０１は、通過可否判定により、判定ＯＫと判断したのに基づいて（ＳＴ１８、Ｙ）、改札処理を行う（ＳＴ１９）。
【００４７】
続いて、ＣＰＵ１０１は、通過検知回路１０８を制御して、人間検知センサ１０７からの検知信号に基づいて利用者の通路の通過を検知する（ＳＴ２０）。そして、ＣＰＵ１０１は、通過完了を検知したのに基づいて（ＳＴ２０、Ｙ）、通信制御部１２０を介したホストコンピュータ１０への制御信号の出力を停止して（ＳＴ２１）、一方向を通行する利用者の改札処理を終了する。
【００４８】
一方で、ＣＰＵ１０１は、ステップＳＴ１６において無線カードとの無線通信が完了せずに無効であると判断した場合（ＳＴ１６、Ｎ）、及び、ステップＳＴ１８において通過可否判定により判定ＮＧと判断した場合（ＳＴ１８、Ｎ）には、ＮＧ処理を行う（ＳＴ２２）。すなわち、ＣＰＵ１０１は、ドア制御回路１１０を制御してドア機構１０９を駆動し、利用者の通行を阻止するとともに、表示制御回路１１４を制御して第１案内表示部１１３を駆動し、無線カードが無効である旨のメッセージを表示する。
【００４９】
また、ＣＰＵ１０１は、ステップＳＴ１１において、通信制御部１２０を介してホストコンピュータ１０から無線カードリーダライタ部１０４による無線通信の中止を指示する制御信号の入力を受け付けたと判断したのに基づいて（ＳＴ１１、Ｙ）、表示制御回路１１６を制御して第２案内表示部１１５を駆動し、無線カードリーダライタ部１０４による無線通信が不可能である旨の案内を表示する（ＳＴ３１）。また、このとき同時に、ＣＰＵ１０１は、表示制御回路１０６を制御して表示部１０５を駆動し、無線カードリーダライタ部１０４による無線通信が不可能である旨の案内を表示しても良いし、さらに、表示制御回路１１８を制御して通路案内表示部１１７を駆動し、通路への進入を禁止するマークを表示しても良い。
【００５０】
続いて、ＣＰＵ１０１は、制御信号の入力を受け付けた状態で、無線カードリーダライタ部１０４による無線カードを利用した無線通信の要求を受け付けたか否かを判断する（ＳＴ３２）。ＣＰＵ１０１は、無線通信要求を受け付けていないと判断したのに基づいて（ＳＴ３２、Ｎ）、ステップＳＴ３１に戻る。
【００５１】
ＣＰＵ１０１は、無線通信要求を受け付けたと判断したのに基づいて（ＳＴ３２、Ｙ）、音声出力制御回路１１２を制御して音声出力部１１１を駆動し、無線カードリーダライタ部１０４による無線通信が不可能である旨の音声案内を出力して（ＳＴ３３）、ステップＳＴ１１に戻る。ＣＰＵ１０１は、制御信号の入力を受け付けなくなった時点で、ステップＳＴ１２に戻り待機状態とする。
【００５２】
このように、改札機１００単体での動作は、ホストコンピュータ１０からの制御信号によって制御される。すなわち、制御信号の入力を受け付けていない状態では、無線カードリーダライタ部１０４による無線通信が可能な待機状態となり、利用者によって無線カードが無線アンテナ１０３にかざされたのに基づいて無線通信が行われるとともに、逆方向からの利用者の進入を禁止するための制御信号を出力する。
【００５３】
また、制御信号の入力を受け付けた状態では、無線カードリーダライタ部１０４による無線通信が不可能である。このとき、表示部１０５、第２案内表示部１１５、及び、通路案内表示部１１７には、無線通信が不可能である旨の他に、他の通路に迂回する旨、その場で待機する旨などの案内が表示される。このような状態で、さらに、利用者によって無線カードが無線アンテナ１０３にかざされても無線通信が行われることはなく、音声出力部１１１によって無線通信が不可能である旨、他の通路に迂回する旨、その場で待機する旨などの音声案内が出力される。
【００５４】
このように、利用者に対して十分な案内を提供することにより、利用者を確実に誘導でき、改札効率を向上することが可能となるとともに、利用者に対するサービス性を向上することが可能となる。
【００５５】
次に、双方向通行可能な通路を形成する２台の改札機１００を備えた改札システムでの改札方法について説明する。
【００５６】
図５に示すように、改札口には、２台の改札機、すなわち第１機体１００Ａ及び第２機体１００Ｂが対向して配置され、双方向通行可能な通路が形成される。これら第１機体１００Ａ及び第２機体１００Ｂは、ホストコンピュータ１０に接続されている。
【００５７】
第１機体１００Ａにおける第１無線カードリーダライタ１０４Ａは、第１方向Ａを通行する利用者が所持する無線カードとの間で無線通信を行う第１通信手段として機能する。また、第２機体１００Ｂにおける第２無線カードリーダライタ１０４Ｂは、第２方向Ｂを通行する利用者が所持する無線カードとの間で無線通信を行う第２通信手段として機能する。
【００５８】
第１機体１００Ａにおける第１音声出力部１１１Ａは、第１方向Ａを通行する利用者に対して第２無線カードリーダライタ部１０４Ｂによる無線通信ができない旨の音声案内を出力する第１音声出力手段として機能する。なお、第１音声出力部１１１Ａは、第２機体１００Ｂ側に設けても良い。
【００５９】
第２機体１００Ｂにおける第２音声出力部１１１Ｂは、第２方向Ｂを通行する利用者に対して第１無線カードリーダライタ部１０４Ａによる無線通信ができない旨の音声案内を出力する第２音声出力手段として機能する。なお、第２音声出力部１１１Ｂは、第１機体１００Ａ側に設けても良い。
【００６０】
第１機体１００Ａにおける第１案内表示部１１５Ａは、第１方向Ａを通行する利用者に対して第１無線カードリーダライタ部１０４Ａによる無線通信ができない旨の案内を表示する第１案内表示手段として機能する。また、第２機体１００Ｂにおける第２案内表示部１１５Ｂは、第２方向Ｂを通行する利用者に対して第２無線カードリーダライタ部１０４Ｂによる無線通信ができない旨の案内を表示する第２案内表示手段として機能する。
【００６１】
図５に示した例では、第１方向Ａを通行する利用者が所持する無線カードによる無線通信要求が第２方向Ｂを通行する利用者が所持する無線カードによる無線通信要求より先に受け付けられた状態を示している。
【００６２】
図６は、上述した改札システムでの改札方法を説明するためのフローチャートである。
【００６３】
すなわち、第１無線カードリーダライタ部１０４及び第２無線カードリーダライタ部１０４による無線通信要求を受け付け可能な待機状態において、第１機体１００ＡのＣＰＵ１０１は、第１方向Ａを通行する利用者による第１無線カードリーダライタ部１０４による無線通信要求を受け付けたか否かを判断する（ＳＴ４１）。
【００６４】
第１機体１００ＡのＣＰＵ１０１は、無線通信要求を受け付けたと判断したのに基づいて（ＳＴ４１、Ｙ）、第１機体１００Ａからホストコンピュータ１０に対して制御信号を出力する（ＳＴ４２）。そして、ホストコンピュータ１０は、第２機体１００Ｂに対して制御信号を出力する。
【００６５】
第２機体１００ＢのＣＰＵ１０１は、ホストコンピュータ１０からの制御信号の入力に基づいて、第２方向Ｂを通行しようとする利用者に対して第２無線カードリーダライタ部１０４Ｂによる無線通信が不可能である旨の案内を第２案内表示部１１５Ｂに表示する（ＳＴ４３）。
【００６６】
続いて、第２機体１００ＢのＣＰＵ１０１は、第２方向Ｂを通行する利用者による第２無線カードリーダライタ部１０４Ｂによる無線通信が受け付けられたと判断したのに基づいて（ＳＴ４４、Ｙ）、第２方向Ｂを通行しようとする利用者に対して第２無線カードリーダライタ部１０４Ｂによる無線通信が不可能である旨の音声案内を第２音声出力部１１１Ｂから出力する（ＳＴ４５）。
【００６７】
そして、第１機体１００ＡのＣＰＵ１０１は、第１無線カードリーダライタ部１０４Ａによる無線通信により第１方向Ａを通行する利用者が通過したことを検知したのに基づいて（ＳＴ４６、Ｙ）、ホストコンピュータ１０への制御信号の出力を停止し、第１機体１００Ａ及び第２機体１００Ｂともに待機状態に復帰する。
【００６８】
一方、第２機体１００ＢのＣＰＵ１０１は、無線通信要求を受け付けたと判断したのに基づいて（ＳＴ４７、Ｙ）、第２機体１００Ｂからホストコンピュータ１０に対して制御信号を出力する（ＳＴ４８）。そして、ホストコンピュータ１０は、第１機体１００Ａに対して制御信号を出力する。
【００６９】
第１機体１００ＡのＣＰＵ１０１は、ホストコンピュータ１０からの制御信号の入力に基づいて、第１方向Ａを通行しようとする利用者に対して第１無線カードリーダライタ部１０４Ａによる無線通信が不可能である旨の案内を第１案内表示部１１５Ａに表示する（ＳＴ４９）。
【００７０】
続いて、第１機体１００ＡのＣＰＵ１０１は、第１方向Ａを通行する利用者による第１無線カードリーダライタ部１０４Ａによる無線通信が受け付けられたと判断したのに基づいて（ＳＴ５０、Ｙ）、第１方向Ａを通行しようとする利用者に対して第１無線カードリーダライタ部１０４Ａによる無線通信が不可能である旨の音声案内を第１音声出力部１１１Ａから出力する（ＳＴ５１）。
【００７１】
そして、第２機体１００ＢのＣＰＵ１０１は、第２無線カードリーダライタ部１０４Ｂによる無線通信により第２方向Ｂを通行する利用者が通過したことを検知したのに基づいて（ＳＴ５２、Ｙ）、ホストコンピュータ１０への制御信号の出力を停止し、第１機体１００Ａ及び第２機体１００Ｂともに待機状態に復帰する。
【００７２】
この改札システムによれば、改札口などに２台の改札機を設置することで双方向通行可能な通路を形成し、双方向からの利用者が所持する無線カードとの間で無線通信を行うことで改札処理を行う。なお、この改札機は、磁気式券類による改札処理も可能な併用タイプであってもよい。
【００７３】
このような改札システムにおいて、待機状態では双方向での無線通信要求を受け付け可能であり、どちらか一方で無線カードが無線カードリーダライタ部にかざされたことに基づいて通路における通行方向を決定し、利用者の通過を検知したのに基づいて待機状態に復帰する。
【００７４】
通路における通行方向が決定したタイミングでは、他方の無線カードリーダライタ部による無線通信を不可能とするとともに、その旨に対応した音声案内を出力する。これにより、利用者の流動阻害を防止すると同時に、視覚障害者の利用しやすさを提供することができる。
【００７５】
このとき出力される音声案内は、利用者に正対する方向に向けて設置された音声出力部から出力され、無線通信が不可能な無線カードリーダライタ部を利用しようとする利用者にだけ聞こえるように指向性を持たせることによって、誤って通路に進入してしまうことを抑制できる。また、この音声案内が周囲に聞こえすぎないように音声出力部の音量を調整することで、反対方向の利用者すなわち改札処理中の利用者に対して聞こえにくくすることができる。
【００７６】
さらに、音声案内と同時に改札機本体上部面に設置された案内表示部でその旨表示する。この案内表示部は、通行方向上流側の無線カードリーダライタ部の近傍に設置されているため、誤って通路に進入しかけても早い段階で利用者に対して案内内容を報知させることができ、通路を戻らせることによって流動阻害を抑制することができる。なお、この案内表示部は、例えばカラー液晶表示装置等で構成することにより、視認性を向上することができる。
【００７７】
なお、この発明は上記各実施の形態に限定されるものではなく、その実施の段階ではその要旨を逸脱しない範囲で種々な変形・変更が可能である。また、各実施の形態は可能な限り適宜組み合わせて実施されてもよく、その場合組み合わせによる効果が得られる。
【００７８】
【発明の効果】
以上説明したように、この発明によれば、改札効率を向上することが可能であるとともに、利用者に対するサービス性を向上することが可能な改札機、改札システム、及び、改札方法を提供することができる。
【図面の簡単な説明】
【図１】図１は、この発明の一実施の形態に係る改札システムの構成を概略的に示す図である。
【図２】図２は、図１に示した改札システムに適用される改札機の外観を概略的に示す斜視図である。
【図３】図３は、図２に示した改札機の構成を概略的に示すブロック図である。
【図４】図４は、図２に示した改札機での改札処理を説明するためのフローチャートである。
【図５】図５は、図１に示した双方向通行可能な通路を形成した改札システムを説明するための図である。
【図６】図６は、図５に示した改札システムでの改札処理を説明するためのフローチャートである。
【符号の説明】
１０…ホストコンピュータ
１００…改札機
１０１…ＣＰＵ（改札手段、信号出力手段）
１０４…無線カードリーダライタ部（通信手段）
１０５…表示部（案内表示手段）
１１１…音声出力部（音声出力手段）
１１３…第１案内表示部
１１５…第２案内表示部
１１７…通路案内表示部
１２０…通信制御部
【図１】
2004145639.tif 000003
【図２】
2004145639.tif 000004
【図３】
2004145639.tif 000005
【図４】
2004145639.tif 000006
【図５】
2004145639.tif 000007
【図６】
2004145639.tif 000008